(57)【特許請求の範囲】
【請求項１】
情報記録媒体において、
ユーザデータを記録するためのユーザデータ領域と、
前記ユーザデータ領域に発生した欠陥ブロックを代替するための複数のスペアブロックを含むスペア領域と、
前記ユーザデータ領域に発生した前記各欠陥ブロックについての情報が記録される欠陥管理領域と、を含み、
前記スペア領域の前記複数のスペアブロックは、複数の使用可能スペアブロックを含み、
前記複数の使用可能スペアブロックは、前記スペア領域の使用順序上で当該使用可能スペアブロックのフォワード部分に代替ブロックが存在する少なくとも一つの第１使用可能スペアブロックと、使用順序上で当該使用可能スペアブロックのフォワード部分に代替ブロックが存在しない少なくとも一つの第２使用可能スペアブロックと、を含み、
前記欠陥管理領域には、前記スペア領域の次に利用可能な位置ポインタが記録され、前記少なくとも一つの第１使用可能スペアブロックが使用順序上で前記少なくとも一つの第２使用可能スペアブロックの前に存在するとしても、前記スペア領域の次に利用可能な位置ポインタは、前記少なくとも一つの第２使用可能スペアブロックのうち、最初の使用可能スペアブロックを指すことを特徴とする情報記録媒体。
【請求項２】
情報記録媒体にデータを記録する記録装置において、
ユーザデータを記録するためのユーザデータ領域と、前記ユーザデータ領域に発生した欠陥ブロックを代替するために構成される複数のスペアブロックを含むスペア領域と、各前記ユーザデータ領域に発生した前記各欠陥ブロックについての情報が記録される欠陥管理領域と、を含み、前記スペア領域の前記複数のスペアブロックは、複数の使用可能スペアブロックを含み、前記複数の使用可能スペアブロックは、前記スペア領域の使用順序上で当該使用可能スペアブロックのフォワード部分に代替ブロックが存在する少なくとも一つの第１使用可能スペアブロックと、使用順序上で当該スペアブロックのフォワード部分に代替ブロックが存在しない少なくとも一つの第２使用可能スペアブロックと、を含む前記情報記録媒体にデータを記録するピックアップと、
前記スペア領域の次に利用可能な位置ポインタを、前記欠陥管理領域に記録するように、前記ピックアップを制御する制御部と、を含み、
前記制御部は、前記少なくとも一つの第１使用可能スペアブロックが使用順序上で前記少なくとも一つの第２使用可能スペアブロックの前に存在するとしても、前記スペア領域の次に利用可能な位置ポインタが、前記少なくとも一つの第２使用可能スペアブロックのうち、最初の使用可能スペアブロックを指すよう、前記ピックアップを制御する、ことを特徴とする記録装置。
【請求項３】
情報記録媒体にデータを記録する記録方法において、
ユーザデータを記録するためのユーザデータ領域と、前記ユーザデータ領域に発生した欠陥ブロックを代替するために構成される複数のスペアブロックを含むスペア領域と、前記ユーザデータ領域に発生した前記各欠陥ブロックについての情報が記録される欠陥管理領域と、を含み、前記スペア領域の前記複数のスペアブロックは、複数の使用可能スペアブロックを含み、前記複数の使用可能スペアブロックは、前記スペア領域の使用順序上で当該使用可能スペアブロックのフォワード部分に代替ブロックが存在する少なくとも一つの第１使用可能スペアブロックと、使用順序上で当該使用可能スペアブロックのフォワード部分に代替ブロックが存在しない少なくとも一つの第２使用可能スペアブロックと、を含む前記情報記録媒体にデータを記録する段階と、
前記スペア領域の次に利用可能な位置ポインタを、前記欠陥管理領域に記録する段階と、を含み、
前記スペア領域の次に利用可能な位置ポインタを、前記欠陥管理領域に記録する段階は、前記少なくとも一つの第１使用可能スペアブロックが使用順序上で前記少なくとも一つの第２使用可能スペアブロックの前に存在するとしても、前記スペア領域の次に利用可能な位置ポインタが、前記少なくとも一つの第２使用可能スペアブロックのうち、最初の使用可能スペアブロックを指すように、前記次に利用可能な位置ポインタを記録する、ことを特徴とする記録方法。
【発明の詳細な説明】
【技術分野】
【０００１】
本発明は、情報記録媒体、記録再生方法及び記録再生装置に関する。
【背景技術】
【０００２】
欠陥管理（defect  management）を支援する情報記録媒体は、一般的に、ユーザ領域に発生した欠陥を代替するためのスペア領域を有する。ユーザ領域に発生した欠陥ブロックは、スペア領域の使用可能なスペアブロックに代替され、その代替に関連した情報は、欠陥情報として管理される。また、欠陥情報を介して、ユーザ領域だけではなく、スペア領域（spare  area）に発生した欠陥情報も、共に管理される。欠陥情報及びディスク管理に必要な情報は、欠陥管理領域に保存されて管理されるが、欠陥管理領域は、ディスク型媒体において、内周あるいは外周に少なくとも一つ以上設けられている。前記欠陥情報と、ディスク管理に必要な情報とを欠陥管理情報と呼び、欠陥管理情報は、欠陥管理領域に保存される。欠陥管理領域は、ディスク管理領域と呼ばれもする。
【０００３】
図１Ａ及び図１Ｂは、欠陥管理を行うディスクで、スペア領域について説明するための参考図である。
【０００４】
図１Ａは、シングルレイヤ・ディスクの一般的なレイアウトを示している。図１Ａを参照すれば、シングルレイヤ・ディスク１００は、リード領域１１０、スペア領域１２０、ユーザデータ領域１３０、リードアウト領域１４０を含む。
【０００５】
リード領域１１０とリードアウト領域１４０は、ディスク関連情報と、ユーザデータ領域に発生した欠陥に関連した情報とを含む。
【０００６】
ユーザデータ領域１３０には、ユーザデータが記録され、スペア領域１２０は、ユーザデータ領域１３０に記録されたデータに欠陥が生じれば、このような欠陥が発生したブロックを代替するためのデータを記録するためのスペアブロックを含む。
【０００７】
スペア領域は、通常、１つの使用順序（usage  order）が決まれば、その使用順序によって、スペア領域のスペアブロックが順次に使われる。図１Ａは、リード領域１１０があるディスクの内周側から、リードアウト領域１４０のある外周側にスペア領域が使われるとするとき、スペアブロック１，２，３，４，５，６，７は、すでにユーザデータ領域の欠陥ブロックを代替するための代替ブロックとして使われている状態を示している。図１Ａでスペアブロック１，２，３，４，５，６，７は、代替されたスペアブロックとして表示されており、残りのスペアブロック８，９，１０，１１，１２は、使用可能なスペアブロックとして表示されている。
【０００８】
ところで、スペア領域で、すでに欠陥ブロックを代替するためのブロックとして使われた代替ブロックでも、さまざまな原因によって、かような代替ブロックが、再び使用可能なスペアブロックに変更されることがある。
【０００９】
すなわち、図１Ａに図示されているように、スペア領域のスペアブロック１，２，３，４，５，６，７は、すでにユーザデータ領域の欠陥ブロックを代替するための代替ブロックとして使われるとしても、さまざまな原因によって、図１Ｂに図示されているように、スペアブロック３，４，５が、再び使用可能なスペアブロックに変更されることがある。
【００１０】
かような原因としては、欠陥管理を具現するドライブの政策によって、多様に発生しうるが、例えば、ドライブがディスクを使用する最中に、ディスクを検証するのである。ディスク検証を行いつつ、ある原因によって、代替ブロック３，４，５に係わる代替エントリがそれ以上不要であると判断された場合、ドライブは、代替ブロック３，４，５に関連した代替エントリを欠陥リストから削除し、代替ブロック３，４，５に係わる代替エントリが削除されれば、代替ブロック３，４，５が代替ブロックであるという情報が除去されるために、代替ブロック３，４，５は、代替ブロックではなく、使用可能なスペアブロックとして使用できることになるのである。
【００１１】
従って、結局、スペア領域を順次に使用するとしても、図１Ｂに図示されているように、代替されたスペアブロックと使用可能なスペアブロックとがランダムに配列される状況が発生しうる。図１Ｂでのようなスペア領域の状態で、ドライブが、スペア領域の使用可能なスペアブロックのうち、どの使用可能なスペアブロックを使用するのが効果的であるかということなど、スペア領域についての情報を管理する必要性が叫ばれている。
【発明の概要】
【発明が解決しようとする課題】
【００１２】
本発明は、欠陥管理を行う情報記録媒体で、スペア領域の情報を効率的に管理し、欠陥管理にかかる時間を効果的に短縮させるための情報記録媒体、記録再生装置及び記録再生方法を提供することを目的とする。
【課題を解決するための手段】
【００１３】
前記のような課題を解決するための本発明の１つの特徴は、情報記録媒体において、ユーザデータを記録するためのユーザデータ領域と、各スペアブロックが、前記ユーザデータ領域に発生した欠陥（defect）ブロックを代替する（replace）ために構成される複数のスペアブロックを含むスペア領域（spare  area）と、前記ユーザデータ領域に発生した前記各欠陥ブロックについての情報が記録される欠陥管理領域（defect  management  area）と、を含み、前記スペア領域の前記複数のスペアブロックは、前記スペア領域の使用順序（usage  order）上で当該スペアブロックのフォワード部分（forward  part）に、代替ブロック（replacement  block）が存在する使用可能スペアブロック（usable  spare  block）と、使用順序上で当該スペアブロックのフォワード部分に代替ブロックが存在しない使用可能スペアブロックと、を含み、前記欠陥管理領域には、前記スペア領域の次に利用可能な位置ポインタが記録され、前記スペア領域の次に利用可能な位置ポインタは、前記使用順序上で当該スペアブロックのフォワード部分に代替ブロックが存在しない複数の使用可能スペアブロックのうち、最初の使用可能スペアブロックを指すものである。
【００１４】
本発明の他の特徴は、情報記録媒体にデータを記録する記録装置において、ユーザデータを記録するためのユーザデータ領域と、各スペアブロックが、前記ユーザデータ領域に発生した欠陥ブロックを代替するために構成される複数のスペアブロックを含むスペア領域と、各前記ユーザデータ領域に発生した前記各欠陥ブロックについての情報が記録される欠陥管理領域と、を含み、前記スペア領域の前記複数のスペアブロックは、前記スペア領域の使用順序上で当該スペアブロックのフォワード部分に代替ブロックが存在する使用可能スペアブロックと、使用順序上で当該スペアブロックのフォワード部分に代替ブロックが存在しない使用可能スペアブロックと、を含む前記情報記録媒体にデータを記録するピックアップ；前記スペア領域の次に利用可能な位置ポインタを、前記欠陥管理領域に記録するように、前記ピックアップを制御する制御部；を含み、前記スペア領域の次に利用可能な位置ポインタは、前記使用順序上で当該スペアブロックのフォワード部分に代替ブロックが存在しない複数の使用可能スペアブロックのうち、最初の使用可能スペアブロックを指すものである。
【００１５】
本発明のさらに他の特徴は、情報記録媒体にデータを再生する再生装置において、ユーザデータを記録するためのユーザデータ領域と、各スペアブロックが、前記ユーザデータ領域に発生した欠陥ブロックを代替するために構成される複数のスペアブロックを含むスペア領域と、前記ユーザデータ領域に発生した前記各欠陥ブロックについての情報が記録される欠陥管理領域と、を含み、前記スペア領域の前記スペアブロックは、前記スペア領域の使用順序上で当該スペアブロックのフォワード部分に代替ブロックが存在する使用可能スペアブロックと、使用順序上で当該スペアブロックのフォワード部分に代替ブロックが存在しない使用可能スペアブロックと、を含む前記情報記録媒体からデータを再生するピックアップ；前記スペア領域の次に利用可能な位置ポインタを、前記欠陥管理領域から再生するように、前記ピックアップを制御する制御部；を含み、前記スペア領域の次に利用可能な位置ポインタは、前記使用順序上で当該スペアブロックのフォワード部分に代替ブロックが存在しない複数の使用可能スペアブロックのうち、最初の使用可能スペアブロックを指すものである。
【００１６】
本発明のさらに他の特徴は、情報記録媒体にデータを記録する記録方法において、ユーザデータを記録するためのユーザデータ領域と、各スペアブロックが、前記ユーザデータ領域に発生した欠陥ブロックを代替するために構成される複数のスペアブロックを含むスペア領域と、前記ユーザデータ領域に発生した前記各欠陥ブロックについての情報が記録される欠陥管理領域と、を含み、前記スペア領域の前記複数のスペアブロックは、前記スペア領域の使用順序上で当該スペアブロックのフォワード部分に代替ブロックが存在する使用可能スペアブロックと、使用順序上で当該スペアブロックのフォワード部分に代替ブロックが存在しない使用可能スペアブロックと、を含む前記情報記録媒体にデータを記録する段階と、前記スペア領域の次に利用可能な位置ポインタを、前記欠陥管理領域に記録する段階と、を含み、前記スペア領域の次に利用可能な位置ポインタは、前記使用順序上で当該スペアブロックのフォワード部分に代替ブロックが存在しない複数の使用可能スペアブロックのうち、最初の使用可能スペアブロックを指すものである。
【００１７】
本発明のさらに他の特徴は、情報記録媒体にデータを再生する再生方法において、ユーザデータを記録するためのユーザデータ領域と、各スペアブロックが、前記ユーザデータ領域に発生した欠陥ブロックを代替するために構成される複数のスペアブロックを含むスペア領域と、前記ユーザデータ領域に発生した前記各欠陥ブロックについての情報が記録される欠陥管理領域と、を含み、前記スペア領域の前記複数のスペアブロックは、前記スペア領域の使用順序上で当該スペアブロックのフォワード部分に代替ブロックが存在する使用可能スペアブロックと、使用順序上で当該スペアブロックのフォワード部分に代替ブロックが存在しない使用可能スペアブロックと、を含む前記情報記録媒体からデータを再生する段階と、前記スペア領域の次に利用可能な位置ポインタを、前記欠陥管理領域から再生する段階と、を含み、前記スペア領域の次に利用可能な位置ポインタは、前記使用順序上で当該スペアブロックのフォワード部分に代替ブロックが存在しない複数の使用可能スペアブロックのうち、最初の使用可能スペアブロックを指すものである。
【００１８】
本発明のさらに他の特徴は、情報記録媒体において、ユーザデータを記録するためのユーザデータ領域と、各スペアブロックが、前記ユーザデータ領域に発生した欠陥を代替するために構成される複数のスペアブロックを含むスペア領域と、前記ユーザデータ領域に発生した前記各欠陥ブロックについての情報が記録される欠陥管理領域と、を含み、前記情報記録媒体の再初期化（reinitialization）によって、前記スペア領域の代替ブロックについての情報を含む欠陥情報が除去され、前記欠陥管理領域には、前記スペア領域の次に利用可能な位置ポインタが記録され、前記スペア領域の次に利用可能な位置ポインタは、前記使用順序上で最初の利用可能なスペアブロックを指すものである。
【００１９】
本発明のさらに他の特徴は、情報記録媒体にデータを記録する記録装置において、ユーザデータを記録するためのユーザデータ領域と、各スペアブロックが、前記ユーザデータ領域に発生した欠陥ブロックを代替するために構成される複数のスペアブロックを含むスペア領域と、前記ユーザデータ領域に発生した前記各欠陥ブロックについての情報が記録される欠陥管理領域と、を含む前記情報記録媒体にデータを記録するピックアップ；前記情報記録媒体の再初期化時、前記スペア領域の代替ブロックについての情報を含む欠陥情報を、前記欠陥管理領域から除去し、前記スペア領域の次に利用可能な位置ポインタを、前記欠陥管理領域に記録するように制御する制御部；を含み、前記スペア領域の次に利用可能な位置ポインタは、前記使用順序上で最初の利用可能なスペアブロックを指すものである。
【００２０】
本発明のさらに他の特徴は、情報記録媒体からデータを再生する再生装置において、ユーザデータを記録するためのユーザデータ領域と、各スペアブロックが、前記ユーザデータ領域に発生した欠陥ブロックを代替するために構成される複数のスペアブロックを含むスペア領域と、前記ユーザデータ領域に発生した前記各欠陥ブロックについての情報が記録される欠陥管理領域と、を含み、再初期化によって、前記スペア領域の代替ブロックについての情報を含む欠陥情報が、前記欠陥管理領域から除去された前記情報記録媒体からデータを再生するピックアップ；前記スペア領域の次に利用可能な位置ポインタを、前記欠陥管理領域から読み取るように制御する制御部；を含み、前記スペア領域の次に利用可能な位置ポインタは、前記使用順序上で最初の利用可能なスペアブロックを指すものである。
【００２１】
本発明のさらに他の特徴は、ユーザデータを記録するためのユーザデータ領域と、前記ユーザデータ領域に発生した欠陥を代替するためのスペアブロックを含むスペア領域と、前記ユーザデータ領域に発生した前記欠陥についての情報が記録される欠陥管理領域と、を含む情報記録媒体にデータを記録する記録方法において、前記情報記録媒体の再初期化時、前記スペア領域の代替ブロックについての情報を含む欠陥情報を、前記欠陥管理領域から除去する段階と、前記スペア領域の次に利用可能な位置ポインタを、前記欠陥管理領域に記録する段階と、を含み、前記スペア領域の次に利用可能な位置ポインタは、前記使用順序上で最初の利用可能なスペアブロックを指すものである。
【００２２】
本発明のさらに他の特徴は、ユーザデータを記録するためのユーザデータ領域と、前記ユーザデータ領域に発生した欠陥を代替するためのスペアブロックを含むスペア領域と、前記ユーザデータ領域に発生した前記欠陥についての情報が記録される欠陥管理領域と、を含み、再初期化によって、前記スペア領域の代替ブロックについての情報を含む欠陥情報が、前記欠陥管理領域から除去された情報記録媒体からデータを再生する再生方法において、前記スペア領域の次に利用可能な位置ポインタを、前記欠陥管理領域から再生する段階を含み、前記スペア領域の次に利用可能な位置ポインタは、前記使用順序上で最初の利用可能なスペアブロックを指すものである。
【発明の効果】
【００２３】
本発明によれば、欠陥管理を行う情報記録媒体で、スペア領域の情報を効率的に管理し、欠陥管理にかかる時間を効果的に節約することができる。
【図面の簡単な説明】
【００２４】
【図１Ａ】欠陥管理を行うディスクで、スペア領域について説明するための参考図である。
【図１Ｂ】欠陥管理を行うディスクで、スペア領域について説明するための参考図である。
【図２】本発明が適用される情報記録媒体の一例を示す図である。
【図３】欠陥リストの構造を示す図である。
【図４Ａ】次に使用可能なスペアブロックの位置の後に、代替ブロックが存在してはならないということを説明する参考図である。
【図４Ｂ】次に使用可能なスペアブロックの位置の後に、代替ブロックが存在してはならないということを説明する参考図である。
【図４Ｃ】次に使用可能なスペアブロックの位置の後に、代替ブロックが存在してはならないということを説明する参考図である。
【図５Ａ】再初期化前のディスク・レイアウトの一例である。
【図５Ｂ】再初期化後のディスク・レイアウトの一例である。
【図６Ａ】再初期化前のディスク・レイアウトの他例である。
【図６Ｂ】再初期化後のディスク・レイアウトの他例である。
【図７】本発明による記録再生装置の概略的なブロック図である。
【図８】図７に図示された本発明による記録再生装置が具現されたドライブのブロック図である。
【図９】本発明による記録方法の一例を示すフローチャートである。
【図１０】本発明による再生方法の一例を示すフローチャートである。
【発明を実施するための形態】
【００２５】
以下の詳細な説明は、方法、装置および/または本明細書に記載するシステムの包括的な理解を得るにおいて支援するために提供される。それによって、さまざまな変更、修正、並びにシステム、装置および/または本明細書に記載の方法の同等物は、当業者に示唆される。処理段階及び/または説明する操作の進行は、一例であるが、手順及び/または一連の操作は、必ず特定の順序で発生する段階及び／または操作を除いては、後述のところに限定されるものではなく、当技術分野において知られているように変更可能である。また、周知の機能と構造の説明は、さらなる明快さ及び簡潔さのために省略されていることがある。
【００２６】
図２は、本発明が適用される情報記録媒体２００の一例を示している。図２を参照すれば、情報記録媒体２００は、第０記録層、第１記録層、第２記録層の３層から構成され、各記録層は、内周領域（inner  area）２１０、データ領域２２０、外周領域（outer  area）２３０を含む。図２には、３層情報記録媒体が図示されているが、本発明は、１層や２層の情報記録媒体にも適用され、記録層が何層であっても、差し支えなく適用可能である。
【００２７】
第０記録層は、内周領域２１０に欠陥管理領域０  ２１１を含み、データ領域２２０に、スペア領域０  ２２１、ユーザデータ領域２２２、スペア領域１  ２２３を含み、外周領域２３０に、欠陥管理領域１  ２３１を含む。第１記録層は、内周領域２１０に、欠陥管理領域０  ２１２を含み、データ領域２２０に、スペア領域０  ２２４、ユーザデータ領域２２５、スペア領域１  ２２６を含み、外周領域２３０に、欠陥管理領域１  ２３２を含む。第２記録層は、内周領域２１０に、欠陥管理領域０  ２１３を含み、データ領域２２０に、スペア領域０  ２２７、ユーザデータ領域２２８、スペア領域１  ２２９を含み、外周領域２３０に、欠陥管理領域１  ２３３を含む。
【００２８】
各記録層のユーザデータ領域は、ユーザデータを記録するための領域である。
【００２９】
各記録層のスペア領域は、ユーザデータ領域で検出された欠陥ブロック（defective  block）を代替するための代替データを記録するためのスペアブロックを含む。
【００３０】
各記録層の欠陥管理領域は、ユーザデータ領域で検出された欠陥ブロックについての情報を記録するための領域である。欠陥ブロックについての情報は、通常、欠陥リスト（defect  list）と呼ばれる。
【００３１】
図３は、欠陥リストの構造を示す図である。図３を参照すれば、欠陥リスト３００は、一つ以上の欠陥リストエントリ３１０を含む。各欠陥リストエントリは、欠陥ブロックの位置情報、前記欠陥ブロックを代替するスペア領域にある代替ブロックの位置情報、欠陥ブロックや代替ブロックの状態情報を含む。
【００３２】
特に、本発明によって、欠陥管理領域には、スペア領域の次に利用可能な位置ポインタを記録しておく。前記図１Ｂを参照して説明したように、スペア領域を順次に使用するとしても、代替されたスペアブロックと、使用可能なスペアブロックとがランダムに配列される状況があり、その場合、スペア領域の次に利用可能な位置ポインタは、スペア領域の使用順序上で当該スペアブロックのフォワード部分（forward  part）に代替ブロックが存在しない使用可能スペアブロックを指すようにすることが望ましい。
【００３３】
すなわち、図１Ｂを参照すれば、スペア領域１２０には、代替されたブロック１，２，６，７と、使用可能なスペアブロック３，４，５，８，９，１０，１１，１２とが混在する。スペア領域の次に利用可能な位置ポインタは、それら使用可能なスペアブロックのうち一つを指すのが望ましいが、それら使用可能なスペアブロックを見れば、２種に分類することができる。一つは、使用順序上でフォワード部分に、すなわち、これから使用する方向に代替ブロック６，７が存在する使用可能スペアブロック３，４，５であり、他の一つは、これから使用する方向に、いかなる代替ブロックも存在しない使用可能スペアブロック８，９，１０，１１，１２である。例えば、使用可能スペアブロック３を基準にして、使用可能スペアブロック３の使用順序上でフォワード部分というのは、使用可能スペアブロック４から使用可能スペアブロック１２までの部分を言い、使用可能スペアブロック８を基準にして、使用可能スペアブロック８の使用順序上でフォワード部分というのは、使用可能スペアブロック９から使用可能スペアブロック１２までの部分を言うのである。
【００３４】
本発明によるスペア領域の次に利用可能な位置ポインタは、それら使用可能なスペアブロックのうち、使用順序上でフォワード部分に代替ブロックが存在しない使用可能スペアブロックのうち、最初の使用可能スペアブロックを指すようにすることが望ましい。図１Ｂでの例の場合、本発明によるスペア領域の次に利用可能な位置ポインタは、使用可能スペアブロック８を指すものである。もしスペア領域の次に利用可能な位置ポインタが、スペアブロック３を指すものであるならば、そのスペアブロック３のフォワード部分に、すでに代替されたブロック６，７が存在するために、スペア領域のスペアブロックを利用するたびに、スペアブロックが利用可能なスペアブロックであるか否かを確認せねばならないのである。すなわち、代替ブロック６，７は、すでに欠陥ブロックを代替するために使われたブロックであり、代替データが記録されたブロックであるために、この代替ブロック６，７は、他の欠陥のために使われてはならないブロックである。従って、今後使用するスペアブロック内に、かような代替ブロックが入っていることを許容するならば、ドライブは、毎度スペアブロック使用のために、当該スペアブロックが、代替ブロックであるか否かを確認する動作を経ることになる。しかし、かような動作にかかる時間は、ドライブに相当な負担に与えるために、結局、使用順序上で今後使用するスペアブロック内には、代替ブロックを含めないようにすることが望ましい。このために、図１Ｂでのように、そのフォワード部分に代替ブロックのある使用可能スペアブロックと、そのフォワード部分に代替ブロックのない使用可能スペアブロックとのうち、スペア領域の次に利用可能な位置ポインタは、当該スペアブロックのフォワード部分に、代替ブロックが存在しない使用可能スペアブロックを指すようにすることが望ましく、また、当該スペアブロックのフォワード部分に、代替ブロックが存在しない使用可能スペアブロックのうちでも、最初の使用可能スペアブロックを指すようにすることが望ましい。
【００３５】
換言すれば、一般的に、欠陥リストの欠陥リストエントリは、欠陥ブロックのアドレス順に、その次の代替ブロックアドレス順に整列されて保存されているために、代替エントリ内に登録されている代替ブロックは、かなりランダムに保存されており、代替エントリに保存されている代替ブロックを知るためには、代替エントリをいずれも調べなければならない。これにより、もし次に使用可能なスペアブロック後のブロックが、代替エントリの代替ブロックとして登録されていれば、前記次に使用可能なスペアブロックを、代替ブロックとして使用し、次に使用するためのスペアブロックを見つけるとき、代替エントリをいずれも検索しなければならないので、欠陥管理に必要な時間が多くかかるという問題点がある。従って、本発明による情報記録媒体には、次に使用可能なスペアブロック以後には、代替ブロックを存在させないことが望ましい。
【００３６】
図４Ａないし図４Ｃは、次に使用可能なスペアブロックの位置以後、代替ブロックが存在してはならないということを説明する参考図である。
【００３７】
図４Ａないし図４Ｃで、ディスク・レイアウト中で、スペア領域０  ２２１と、ユーザデータ領域２２２とが図示されており、スペア領域０  ２２１は、１４個のスペアクラスタからなっている。スペアブロックもスペアクラスタも、いずれもスペア領域にデータを記録する単位を示すものであり、意味上の違いは特になく、通常混用して使われる。図４Ａないし図４Ｃについて説明するために、スペアクラスタという用語を使用することにする。
【００３８】
図４Ａを参照すれば、スペアクラスタ１，２，３，４，５，８，９は、代替クラスタであり、スペアクラスタ７，１０，１１，１２，１３，１４は、使用可能なクラスタであり、スペアクラスタ６は、スペア領域の次に利用可能な物理的セクタ番号（next  available  physical  sector  number  of  spare  area）によって指定されたスペアクラスタである。
【００３９】
スペア領域の使用順序で見たとき、次に使用可能なスペアブロック、すなわち、スペアクラスタ６のフォワード部分に、代替クラスタ８，９が存在するために、本発明によれば、かようなケースは、許容されない。
【００４０】
図４Ｂを参照すれば、スペアクラスタ１，２，４，７，８は、代替クラスタであり、スペアクラスタ３，１２は、使用することができないスペアクラスタであり、スペアクラスタ５，６，１０，１１，１３，１４は、使用可能なスペアクラスタであり、スペアクラスタ９が、スペア領域の次に利用可能な物理的セクタ番号によって指定されたスペアクラスタである。
【００４１】
使用可能なスペアクラスタ５，６があっても、使用順序上でフォワード部分に代替クラスタが存在しないスペアクラスタ９を、次に利用可能なスペアクラスタとして指定することによって、スペア領域のスペアブロック使用時に、時間浪費などの問題がなくなる。従って、図４Ｂに図示されたケースは、本発明によって許容されるケースである。スペアクラスタ９のフォワード部分にあるスペアクラスタ１２は、使用することができないクラスタであるが、代替クラスタとは異なり、かような使用することができないスペアクラスタは、問題にならない。なぜならば、欠陥情報は、欠陥リスト上に整列（sorting）されて保存されるが、一般的に、欠陥種類を示す状態情報に優先し、そして欠陥クラスタの物理アドレスに優先し、その次の代替クラスタの物理アドレス順でもって保存される。代替クラスタを有する欠陥情報の場合、その欠陥種類内に、欠陥クラスタの物理アドレス順に保存されるために、代替クラスタは、ランダムに配されると見ることができる。どのスペアクラスタが代替されているか否かを知るためには、代替クラスタを有する欠陥情報をいずれも検索せねばならない。一方、使用することができないクラスタの場合、欠陥クラスタの物理アドレスがないために、欠陥クラスタの物理アドレスフィールドには、同一の値（例えば、０）で設定されており、代替クラスタの欠陥アドレス順に保存されており、どのスペアクラスタが使用不可であるクラスタであるかを容易に区分することができる。
【００４２】
図４Ｃを参照すれば、スペアクラスタ１，２，３，５，６，７は、代替クラスタであり、スペアクラスタ４，１０は、使用することができないクラスタであり、スペアクラスタ９，１１，１２，１３，１４は、使用可能なクラスタであり、スペアクラスタ８が、スペア領域の次に利用可能な物理的セクタ番号によって指定されたスペアクラスタである。
【００４３】
使用順序上でフォワード部分に代替クラスタが存在しないスペアクラスタ８を、次に利用可能なスペアクラスタとして指定することによって、スペア領域のスペアブロック使用時に、時間浪費などの問題がなくなる。従って、図４Ｃに図示されたケースは、本発明によって許容されるケースである。
【００４４】
本発明によって、そのフォワード部分に代替ブロックのある使用可能スペアブロックと、そのフォワード部分に代替ブロックのない使用可能スペアブロックとのうち、スペア領域の次に利用可能な位置ポインタは、当該スペアブロックのフォワード部分に、代替ブロックが存在しない使用可能スペアブロックを指すように構成しなければならないことは、ディスク使用の全体期間の間、維持されねばならないということが望ましい。すなわち、最初にディスクを初期化して使用する中で、スペア領域の次に利用可能な位置ポインタは、当該スペアブロックのフォワード部分に、代替ブロックが存在しない使用可能スペアブロックを指すように構成されねばならならず、これは、ディスクが再初期化（reinitialization）された後でも、スペア領域の次に利用可能な位置ポインタは、当該スペアブロックのフォワード部分に、代替ブロックが存在しない使用可能スペアブロックを指すように構成されることが望ましい。再初期化の場合における本発明の適用について、図５Ａないし図６Ｂを参照して説明する。
【００４５】
図５Ａについて説明する前に、欠陥リストエントリについて説明する。前述のように、欠陥管理情報領域は、欠陥リストを含み、欠陥リストは、欠陥リストエントリを含む。欠陥リストエントリ３１０は一例であり、欠陥状態（defect  state  information）情報、欠陥ブロックアドレス（defective  block  address）情報、連続状態（consecutive  state  information）情報、代替ブロックアドレス（replacement  block  address）情報を含む。
【００４６】
欠陥状態情報は、次のような情報を含むことができる。
【００４７】
Type１−１（代替エントリ１）：欠陥ブロックが代替ブロックに代替されており、そのコンテンツも、代替ブロックに保存されている状態を示す。
【００４８】
Type１−２（代替エントリ２）：欠陥ブロックが代替ブロックに代替されているが、そのコンテンツは、代替ブロックに保存されていない状態を示す。かようなタイプ１−１と１−２とが代替エントリを示す。
【００４９】
Type２（単純欠陥エントリ）：代替ブロックを有さない欠陥ブロックを示す。この場合、代替ブロックアドレスには、０のように、ディスクのアドレス領域で示すアドレス情報と区分される情報を設定する。かようなタイプ２は、単純欠陥エントリを示す。
【００５０】
Type３：使用することができるスペアブロックであることを示す。この場合、欠陥ブロックのアドレス２３０には、０のように、ディスクのアドレス領域で示すアドレス情報と区分される情報を設定する。かようなタイプ３は、使用することができるスペアエントリを示す。
【００５１】
Type４：使用することができないスペアブロックであることを示す。この場合、欠陥ブロックのアドレス２３０には、０のように、ディスクのアドレス領域で示すアドレス情報と区分される情報を設定する。かようなタイプ４は、使用することができないスペアエントリを示す。
【００５２】
欠陥ブロックアドレスは、欠陥ブロックのアドレス情報を示す。
【００５３】
連続状態情報は、次のような情報を含むことができる。
【００５４】
情報１：連続欠陥エントリではない単一欠陥エントリを示す。
【００５５】
情報２−１：連続欠陥の開始エントリを示す。この場合、欠陥ブロックアドレスは、連続的な欠陥ブロックの開始アドレスを示し、代替ブロックアドレスは、連続的に代替されたブロックの開始アドレスを示す。
【００５６】
情報２−２：連続欠陥の終了エントリを示す。この場合、欠陥ブロックアドレス２３０は、連続的な欠陥ブロックの終了アドレスを示し、代替ブロックアドレスは、連続的に代替されたブロックの終了アドレスを示す。
【００５７】
代替ブロックアドレスは、代替ブロックのアドレス情報を示す。すなわち、スペア領域の代替ブロックアドレスまたは欠陥ブロックのアドレスを示す。
【００５８】
前記欠陥リストエントリのうち使用することができるスペアブロック・エントリは、欠陥管理情報に保存されないこともある。これは、すでに欠陥管理情報によって、データ領域に割り当てられたスペア領域の大きさと位置とを知っているために、使用することができないスペアブロック・エントリ及び代替エントリ情報だけで、使用することができるスペアブロックを見出すことができるためである。もちろん、使用することができるスペアブロック・エントリが、欠陥情報に保存されない場合には、使用することができるスペアブロックを見つけるために、使用することができないスペアブロック・エントリと、代替エントリとを欠陥情報内で検索する時間が必要である。かような検索時間を短くするために、それぞれのスペア領域の使用順序に立脚し、次に使用可能なスペアブロックについての情報を、欠陥管理情報として管理することができる。言い換えれば、スペア領域で、次に使用可能なスペアブロックについての情報を、欠陥管理情報に保存することによって、スペア領域で使用することができるスペアブロックを見出すのにかかる時間を節約することができる。
【００５９】
一方、欠陥管理を具備した情報記録媒体の再初期化は、再初期化状況に合うように再生成された欠陥管理情報を欠陥管理領域に記録するによってなされるが、欠陥管理情報の再生成は、検定（certification）を介した欠陥情報のアップデートを含むことができる。
【００６０】
検定の種類としては、全体データ領域を検査する全体検定（full  certification）と、欠陥情報に登録されているブロックだけを検査する部分検定（quick  certification）とがある。
【００６１】
情報記録媒体の再初期化によって、欠陥管理情報は、新たに形成されるが、このとき、欠陥情報上の欠陥リストエントリは、再初期化によって、その状態が変更される。例えば、スペア領域とユーザデータ領域とを含む全体データ領域を検定した後、その結果によって、欠陥情報をアップデートし、または欠陥情報に登録されているブロックだけを検定し、その結果によって、欠陥情報をアップデートすることができる。
【００６２】
本発明によって、再初期化後に生成された欠陥管理情報の欠陥情報は、「欠陥ブロックが代替ブロックに代替されている状態を示す欠陥エントリ」（以下、代替エントリ）を含まない。すなわち、既存欠陥情報に代替エントリがあるならば、その欠陥ブロックと代替ブロックとの連結関係を切ったり、あるいは全く代替エントリを削除したりして、最終的に再初期化後に、欠陥情報上で代替エントリが存在しないようにする。このようにすることにより、再初期化によって新たに割り当てられたそれぞれのスペア領域のブロックは、使用することができるスペアブロックと、欠陥によって使用することができないスペアブロックとから構成され、代替エントリに含まれているブロックは、存在しなくなる。
【００６３】
このように、再初期化後、欠陥情報上に代替エントリを存在させない１つの方法は、検定を介してなすことができる。検定を介して、既存の欠陥情報上に存在する代替エントリは除去し、かつ新たに生成しない。すなわち、検定を介して、前記代替エントリの欠陥ブロックを検査した後、欠陥ではないと判断されれば、前記代替エントリを欠陥情報から削除し、前記代替エントリの欠陥ブロックを検査した後、依然として欠陥であると確認されれば、単に前記欠陥ブロックが欠陥であるということのみを示すための単純欠陥エントリに変更する。また、全体検定を介して、ユーザデータ領域で発見された欠陥ブロックは、スペア領域のスペアブロックに代替させなずに、そのまま単純欠陥エントリと示す。
【００６４】
結論として、全体検定後または部分検定後、欠陥情報上に代替エントリは、存在しなくなる。これは、検定前に欠陥情報上で、代替エントリに登録されていた代替ブロックは、検定後、再び使用することができるスペアブロックになるということを意味し、スペア領域のあらゆるブロックのうち、欠陥であるブロックを除いて残りのブロックは、いずれも使用することができるスペアブロックになるということを意味する。
【００６５】
ここで、代替エントリは、連続的な欠陥ブロックが連続的な代替ブロックに代替されている状態を示す連続代替エントリも含み、単純欠陥エントリは、連続的な欠陥ブロックを示す連続単純欠陥エントリも含む。
【００６６】
図５Ａは、再初期化前のディスク・レイアウトの一例であり、図５Ｂは、再初期化後のディスク・レイアウトの一例である。
【００６７】
図５Ａを参照すれば、再初期化前に、ユーザデータ領域に存在する欠陥ブロック１ないし８が、スペア領域に代替された状態を示している。欠陥ブロック１ないし４は、それぞれスペア領域２２１の代替ブロック９，１０，１２，１３に代替され、欠陥ブロック５ないし８は、スペア領域２２３の代替ブロック１５，１６，１８，１９に代替されている。スペア領域２２１でブロック１１は、欠陥ブロックであり、ブロック１４は、次に利用可能なスペアブロックとして指定される。スペア領域２２３で、ブロック１７は、欠陥ブロックであり、ブロック２０は、次に利用可能なスペアブロックとして指定される。図５Ａに図示された状態の場合、各欠陥ブロックについての８個の代替エントリが欠陥情報として保存される。
【００６８】
図５Ｂを参照すれば、再初期化を介して、あらゆる代替エントリが、欠陥情報から削除または変更され、再初期化を介して、前記欠陥ブロック１ないし８が、単純欠陥エントリとして登録された状態を示したものである。すなわち、欠陥ブロックが代替ブロックに代替されたことを示す代替エントリは削除され、代替ブロックについての情報はなくなり、結局、欠陥ブロック１ないし８について欠陥があるということを示す欠陥エントリだけ存在する。従って、代替ブロック９，１０，１２，１３，１５，１６，１８，１９は、使用可能なスペアブロックになる。従って、図５Ｂで、次に利用可能なスペアブロックは、それぞれのスペア領域の与えられた使用順序に立脚し、まず最初に使用可能なスペアブロックに変更されている。すなわち、スペア領域２２１では、スペアブロック９が、スペア領域２２３では、スペアブロック１５が、それぞれ次に使用可能なスペアブロックとして指定される。
【００６９】
図６Ａは、再初期化前のディスク・レイアウトの一例であり、図６Ｂは、再初期化後のディスク・レイアウトの一例である。
【００７０】
図６Ａのディスク状態は、図５Ａの状態と同じである。
【００７１】
図６Ｂを参照すれば、再初期化を介して、欠陥ブロック１，７は、検定などを介した検査結果、依然として欠陥ブロックと判定され、その状態を維持するが、既存の欠陥ブロック３，８は、検定などを介した検査の結果、欠陥ブロックではないと判定され、欠陥情報から削除し、それによって、既存の欠陥ブロック３，８が代替されていたスペアブロックは、再び使用することができるスペアブロックになる。欠陥ブロック２，４，５，６のための代替エントリは、単純欠陥エントリに変更された状態を示したものである。また、次に使用可能なスペアブロックは、それぞれのスペア領域の与えられた使用順序に立脚し、まず最初に使用可能なスペアブロックに変更されている。すなわち、スペア領域２２１では、スペアブロック１０が、スペア領域２２３では、スペアブロック１６が、次に使用可能なスペアブロックとして指定されている。
【００７２】
図７は、本発明による記録再生装置の概略的なブロック図である。図７を参照すれば、本実施形態による装置は、記録／読み取り部７１０、制御部７２０を含む。
【００７３】
記録／読み取り部７１０は、制御部７２０の制御によって、本実施形態による情報記録媒体の記録媒体２００に、データを記録し、記録されたデータを読み取る。
【００７４】
制御部７２０は、記録媒体２００にデータを記録したり読み取るように、記録／読み取り部７１０を制御する。
【００７５】
記録側面の装置と、再生側面の装置は、別個の装置として具現されもし、図６に図示されているように，１つのシステムでもって具現されもする。
【００７６】
図８は、図７に図示された本発明による記録再生装置が具現されたドライブのブロック図である。図８を参照すれば、ドライブは、記録／読み取り部７１０としてピックアップを具備する。記録媒体２００は、ピックアップに装着される。また、ドライブは、制御部７２０として、ホストＩ／Ｆ（interface）１０１、デジタル信号処理部（ＤＳＰ）１０２、ＲＦ（radio  frequency）ＡＭＰ（amplifier）１０３、サーボ１０４及びシステム制御器１０５を具備する。
【００７７】
記録時、ホストＩ／Ｆ  １０１は、ホスト３から記録するデータと共に、記録命令を受ける。システム制御器１０５は、記録に必要な初期化を行う。ＤＳＰ  １０２は、ホストＩ／Ｆ  １０１から受けた記録するデータに対し、エラー訂正のためにパリティなどを添加してＥＣＣ（error  correcting  code）エンコーディングを遂行した後、ＥＣＣエンコーディングされたデータを既定の方式で変調する。ＲＦ  ＡＭＰ  １０３は、ＤＳＰ  １０２から出力されたデータをＲＦ信号に変える。ピックアップは、ＲＦ  ＡＭＰ  １０３から出力されたＲＦ信号を記録媒体１００に記録する。サーボ１０４は、システム制御器１０５からサーボ制御に必要な命令を入力され、ピックアップをサーボ制御する。
【００７８】
図９を参照すれば、特に、本発明によって、システム制御器１０５は、使用順序上で当該スペアブロックのフォワード部分に代替ブロックが存在しない使用可能スペアブロックのうち、最初の使用可能スペアブロックを指す、スペア領域の次に利用可能な位置ポインタを、欠陥管理領域に記録するように、ピックアップを制御する（９１０）。また、図９には図示されていないが、情報記録媒体の再初期化時には、前記スペア領域の代替ブロックについての情報を含む欠陥情報を、前記欠陥管理領域から除去し、前記スペア領域の使用順序上で最初の利用可能なスペアブロックを指す、スペア領域の次に利用可能な位置ポインタを、欠陥管理領域に記録するように制御する。
【００７９】
再生時、ホストＩ／Ｆ  １０１は、ホスト３から再生命令を受ける。システム制御器１０５は、再生に必要な初期化を行う。ピックアップは、追記型記録媒体１００に、レーザビームを照射し、記録媒体１００から反射されたレーザビームを受光して得られた光信号を出力する。ＲＦ  ＡＭＰ  １０３は、ピックアップから出力された光信号をＲＦ信号に変え、ＲＦ信号から得られた変調されたデータをＤＳＰ  １０２に提供する一方、ＲＦ信号から得られた制御のためのサーボ信号を、サーボ１０４に提供する。ＤＳＰ  １０２は、変調されたデータを復調し、ＥＣＣエラー訂正を経て得られたデータを出力する。一方、サーボ１０４は、ＲＦ  ＡＭＰ  １０３から受けたサーボ信号と、システム制御器１０５から受けたサーボ制御に必要な命令とによって、ピックアップに対するサーボ制御を行う。ホストＩ／Ｆ  １０１は、ＤＳＰ  １０２から受けたデータをホストに送る。
【００８０】
図１０を参照すれば、特に、本発明によって、システム制御器１０５は、使用順序上で当該スペアブロックのフォワード部分に代替ブロックが存在しない使用可能スペアブロックのうち、最初の使用可能スペアブロックを指す、スペア領域の次に利用可能な位置ポインタを、欠陥管理領域から読み取るようにピックアップを制御する（１０１０）。
【００８１】
また、図１０には図示されていないが、再初期化によって、前記スペア領域の代替ブロックについての情報を含む欠陥情報が、前記欠陥管理領域から除去された情報記録媒体からシステム制御器１０５は、前記スペア領域の使用順序上で最初の利用可能なスペアブロックを指す、前記スペア領域の次に利用可能な位置ポインタを欠陥管理領域から読み取るようにピックアップを制御する。
【００８２】
かような本発明によれば、欠陥管理を行う情報記録媒体で、スペア領域の情報を効果的に管理することによって、欠陥管理にかかる時間を効果的に短縮することができる。
【００８３】
以上で説明したような記録再生方法はまた、コンピュータで読み取り可能な記録媒体に、コンピュータで読み取り可能なコードとして具現することが可能である。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ（read-only  memory）、ＲＡＭ（random-access  memory）、ＣＤ−ＲＯＭ、磁気テープ、フロッピー（登録商標）ディスク、光データ保存装置などがあって、またキャリアウェーブ（例えば、インターネットを介した伝送）の形態で具現されるものも含む。また、コンピュータで読み取り可能な記録媒体は、ネットワークに連結されたコンピュータシステムに分散され、分散方式で、コンピュータで読み取り可能なコードが保存されて実行されてもよい。そして、前記記録再生方法を具現するための機能的な（function）プログラム、コード及びコード・セグメントは、本発明が属する技術分野のプログラマによって、容易に推論されるのである。
【００８４】
以上、本発明について、その望ましい実施形態を中心に説明した。本発明が属する技術分野で当業者であるならば、本発明が、本発明の本質的な特性から外れない範囲で変形された形態で具現されるということを理解することができるであろう。従って、開示された実施形態は、限定的な観点ではなくして、説明的な観点から考慮されねばならない。本発明の範囲は、前述の説明ではなくして、特許請求の範囲に示されており、それと同等な範囲内にあるあらゆる差異点は、本発明に含まれたものであると解釈されねばならない。
【図１Ａ】
0005628905.tif 000002
【図１Ｂ】
0005628905.tif 000003
【図２】
0005628905.tif 000004
【図３】
0005628905.tif 000005
【図４Ａ】
0005628905.tif 000006
【図４Ｂ】
0005628905.tif 000007
【図４Ｃ】
0005628905.tif 000008
【図５Ａ】
0005628905.tif 000009
【図５Ｂ】
0005628905.tif 000010
【図６Ａ】
0005628905.tif 000011
【図６Ｂ】
0005628905.tif 000012
【図７】
0005628905.tif 000013
【図８】
0005628905.tif 000014
【図９】
0005628905.tif 000015
【図１０】
0005628905.tif 000016